Podtech/llm-jp-corpus-v4-ja_patent huggingface dataset:
(57)【要約】      （修正有）【課題】風圧を利用して大気中の二酸化炭素を削減するもので、地球温暖化を防ぎ環境保全に寄与する二酸化炭素削減装置を提供する。【解決手段】車両等が受ける風圧を利用し二酸化炭素を石灰水の中に通すことにより、この課題を解決する。本装置の吸気口３より入った大気が反応槽４内の石灰水１０の中で気泡８となり、その気泡が排気管７より放出するまでの過程で二酸化炭素が削減され排出される。【選択図】図２
0003157541.tif 000002
【実用新案登録請求の範囲】
【請求項１】
車両等が移動する時に発生する風圧を吸気口で受け入れ、その受け入れた大気を反応槽内の石灰水に通すことにより、大気中の二酸化炭素を削減し、その二酸化炭素が削減された大気を排気管より放出する装置。
【考案の詳細な説明】
【技術分野】
【０００１】  本考案は、風圧を利用して大気中の二酸化炭素を削減するものであり、地球温暖化を防ぎ環境保全に寄与する装置である。
【背景技術】
【０００２】  現在、化石燃料等の大量消費により大気中の二酸化炭素濃度が高くなっている。
【考案の開示】
【考案が解決しようとする課題】
【０００３】  二酸化炭素濃度が高いことにより地球温暖化が危ぐされている、本考案は大気中の二酸化炭素を削減し、地球温暖化を解決することを課題とする。
【課題を解決するための手段】
【０００４】  この課題を解決するため請求項１の考案は、車両等が移動する時受ける風圧を利用し本装置の中に大気を取り入れ、本装置内の石灰水の中を通すことにより大気中の二酸化炭素を削減する。
【考案の効果】
【０００５】  本考案により大気中の二酸化炭素が削減され、地球温暖化を防ぐことが出来、環境保全に寄与する。
【考案を実施するための最良の形態】
【０００６】  図１は車両等の外部に本装置を、磁石及び方向調整用クッション付き高さ調整用ボルトによって取り付けたことを特徴とする。
車両等が進行することにより風圧を受け、本装置の中を大気が通る。【０００７】  図２は本装置の吸気口より入った大気が反応槽内の石灰水の中で気泡となり、その気泡が排気管より放出するまでの過程で二酸化炭素が削減され排出される。【０００８】  この場合の化学反応式は
【化１】
0003157541.tif 000003
によって表現することが出来る。
【図面の簡単な説明】
【０００９】
【図１】  本装置を車両等の外部に設けた状態の断面図である。
【図２】  本装置のメカニズムを表した断面図である。
【符号の説明】
【０００１０】  １    車両等の移動方向を表す矢印
２    吸気管
３    吸気口
４    反応槽
５    磁石及び方向調整用クッション付き高さ調整用ボルト
６    車両等の外部表面
７    排気管
８    気泡
９    気泡の移動方向を表す矢印
１０    石灰水
【図１】
0003157541.tif 000004
【図２】
0003157541.tif 000005
【手続補正書】
【提出日】平成21年11月11日(2009.11.11)
【手続補正１】
【補正対象書類名】実用新案登録請求の範囲
【補正対象項目名】全文
【補正方法】変更
【補正の内容】
【実用新案登録請求の範囲】
【請求項１】
石灰水を導入した反応槽に吸気を行うための吸気管と排気を行う排気管を設けた装置であって、車両、船舶、航空機が移動する時に発生する大気の流れを吸気管で受け入れ、その受け入れた大気を反応槽内の石灰水に大気圧の差を利用して送り込み、大気中の二酸化炭素を削減する装置。
(57)【要約】      （修正有）【課題】人体の痛みなどの症状を感じる部分に直接貼ることにより、その症状を緩和させるシールを提供する。【解決手段】片面に接着剤を塗布し、使用しやすい形状に加工したイオン化傾向の大きい（小さい）金属箔と、それより小さい形状に加工したイオン化傾向の小さい（大きい）金属箔を接着させることで、二種類の金属の電位差からマイナスイオンを発生させる。【選択図】図１
0003157600.tif 000002
【実用新案登録請求の範囲】
【請求項１】
イオン化傾向の大きい金属箔Ａの片面に接着剤を付け、その中央にＡより小さい形状に加工した、イオン化傾向の小さい金属箔Ｂを貼り付けた金属イオンシール。
【請求項２】
イオン化傾向の小さい金属箔Ａの片面に接着剤を付け、その中央にＡより小さい形状に加工した、イオン化傾向の大きい金属箔Ｂを貼り付けた金属イオンシール。
【請求項３】
イオン化傾向の大きい金属箔の片面に、イオン化傾向の小さい金属粒子を塗布やコーティングさせた金属イオンシール。
【請求項４】
イオン化傾向の小さい金属箔の片面に、イオン化傾向の大きい金属粒子を塗布やコーティングさせた金属イオンシール。
【考案の詳細な説明】
【技術分野】
【０００１】  本考案は、体の痛みなどの症状を感じる部分に、直接貼ることによって、原因となる症状（痛みなど）を緩和する、医療分野のシールに関するものである。
【背景技術】
【０００２】  イオン化傾向の異なる金属（金と銀、１０円硬貨と１円硬貨など）を別々のツボに貼ることで症状を改善させる方法があったが、ツボや経絡などの専門知識を必要とした為、一般の人が容易に効果を得ることは難しかった。【０００３】  電位差を発生させる高額な機器を用いたりする場合もあったが、一般の人が簡単に活用するには不適当であった。
【考案の概要】
【考案が解決しようとする課題】
【０００４】  上述のように、従来の対処法は、専門知識や高額な機器を必要とした為、一般の人が自宅おいても容易に症状の改善を得るための方法としては、必ずしも適するものではなかった。【０００５】  本考案は、上述のような問題点を解決し、体に害や危険のない安全な方法で、一般の人が自宅おいても簡単に症状の改善が出来る方法として、考案したものである。
【課題を解決するための手段】
【０００６】  本考案は、片面に接着剤を塗布したイオン化傾向の異なる大小の金属箔を貼り合せ（小の金属箔には必ずしも接着剤を塗布する必要はない）、二種類の金属の電位差からそれ自体にマイナスイオンを生じさせる。そして、大きい金属箔の粘着面を体の痛みの感じる部分に直接貼り、体内にマイナスイオンを放出する。【０００７】  また、小さい金属箔の変わりに、同じ寸法程度の金属粒子を大きい金属箔に塗布やコーティングすることによっても、同様の対応が可能である。
【考案の効果】
【０００８】  痛みなどの症状は、痛みの原因の部分に電位差が生じ、それによりプラスイオンが滞留して起こるものと考えられる。本考案から体内に放出されるマイナスイオンは、患部に滞留するプラスイオンと結合して、痛みの原因である電位差を解消させ、起こっている症状（痛みなど）を緩和させる。さらに、本考案の使用により血液中のマイナスイオンが増える事で、血液のペーハーは弱アルカリ性に傾き、新陳代謝が活発化し、健康な身体を維持することができるようになる。また、本考案は安全でかつ容易、安価なものである為、上述の様なこれまでの問題点をも解決する。
【図面の簡単な説明】
【０００９】
【図１】本考案の正面図及び側面図
【図２】本考案を用いた時に起こる作用のイメージ図
【考案を実施するための形態】
【００１０】  以下、本考案の実施の形態を図面に基づき説明する。
【００１１】  片面に接着剤を塗布した、イオン化傾向の大きい（小さい）金属箔を使用しやすい形状に加工する。（図はアルミ箔で解説）
【００１２】  接着剤を塗布したイオン化傾向の大きい（小さい）金属箔の粘着面に、より小さい形状に加工したイオン化傾向の小さい（大きい）金属箔を接着させる。（図では銅箔で説明）
【００１３】  大きい金属箔の粘着面を痛みの感じる部分に直接貼り付ける。痛みを感じる部分が複数あれば、その全てに貼り付けるようにする。
【実施例】
【００１４】  本考案の実施に当たっては次のような金属が考えられる。
イオン化傾向の大きい金属：Ｌｉ・Ｋ・Ｃａ・Ｎａ・Ｍｇ・Ａｌ・Ｍｎ・Ｚｎ・Ｃｒ
イオン化傾向の小さい金属：Ｃｕ・Ｈｇ・Ａｇ・Ｐｔ・Ａｕ
【符号の説明】
【００１５】１  イオン化傾向の大きい金属（アルミ箔）
２  イオン化傾向の小さい金属（銅箔）
３  金属表面に塗布した接着材
４  皮膚表面
５  体の内部（血液）
６  金属の電位差によってアルミから放出されるマイナスイオン
７  体内部に起こっている電位差から発生するプラスイオン
８  痛みが起こっている部分
【図１】
0003157600.tif 000003
【図２】
0003157600.tif 000004
(57)【要約】      （修正有）【課題】商品価値を向上させた携帯用ハンガーを提供する。【解決手段】携帯用ハンガーは、細長状の中腕部３と細長状の下腕部４が互いに間隔をへだてて平行状に並び、中腕部３の上方に把持部を設け、同一平面の薄肉の板から成ることを特徴とする。【選択図】図１
0003157474.tif 000002
【実用新案登録請求の範囲】
【請求項１】
細長状の中腕部（３）と細長状の下腕部（４）が互いに間隔をへだてて平行状に並び、中腕部（３）の上方に把持部（６）を設け、同一平面の薄肉の板から成ることを特徴とする携帯用ハンガー。
【請求項２】
中腕部（３）の上方に細長状の上腕部（２）を形成し、短い縦杆（７）を介して細長状の把持部（６）を形成したことを特徴とする請求項１に記載された携帯用ハンガー。
【請求項３】
中腕部（３）の上方に細長状の上腕部（２）を形成し、短い縦杆（８）を介して細長状の把持部（６）を形成したことを特徴とする請求項１に記載された携帯用ハンガー。
【請求項４】
中腕部（３）の上方に把持穴（９）を設けた把持部（６）を形成したことを特徴とする請求項１に記載された携帯用ハンガー。
【請求項５】
薄肉の板の材質は樹脂、木材、金属のいずれかを選択し、その表面の一部もしくは全体を皮で被覆することを特徴とする請求項１から４までのいずれか一つに記載された携帯用ハンガー。
【請求項６】
同一平面の薄肉の板はＡ４版すなわち横方向の寸法（Ｌ）が２９７ｍｍ、縦方向の寸法（Ｈ）が２１０ｍｍである矩形の範囲内に納まる大きさを有する請求項１から５までのうちのいずれか一つに記載された携帯用ハンガー。
【考案の詳細な説明】
【技術分野】
【０００１】
本考案は、携帯用ハンガーの改良に関するものである。
【背景技術】
【０００２】
従来、携帯用ハンガーはいろいろ知られている。ハンガーは立体状に湾曲した大型のものが多いので、携帯時には腕を折り畳んだり、腕をスライドさせたりして小型にするのが普通であった。
【先行技術文献】
【特許文献】
【０００３】
【特許文献１】実開昭５２−１３９２９号公報
【特許文献２】実開昭５１−１３８２２６号公報
【特許文献３】実開昭５３−７７０３９号公報
【考案の開示】
【考案が解決しようとする課題】
【０００４】
本考案は、ハンガーを折畳んだりスライドさせることが皆無で同一平面から成る薄肉のハンガーであり、歩行中携帯に至便なハンガーを提供することを目的とする。
【課題を解決するための手段】
【０００５】
本考案は、細長状の中腕部と細長状の下腕部が互いに間隔をへだてて平行状に並び、中腕部の上方に把持部を設け、同一平面の薄肉の板から成ることを特徴とする携帯用ハンガーを提供することにより課題を解決した。
【考案の効果】
【０００６】
１．本考案ハンガーは、１枚の平面から成る板で作られ、しかも、板の厚さは薄いから、かばん内部の物品収納容積を減殺することがない。
２．本考案のハンガー把持部６は薄いから、かばんとハンガーの両方を片方の手で持つのは至極簡単である。そうすると、他方の手は空いているから自由に使うことができる。
３．衣類（上着）は、上腕部２と中腕部３の間の細長い空間及び中腕部３と下腕部４の間の細長い空間に挟み込まれて保持されるので、衣類がずれ落ちるおそれはない。上腕部２の下縁、中腕部３の上縁及び下縁、下腕部４の上縁に波状部が形成されている場合には衣類がずれ落ちるのを防止する効果が向上する。
４．本考案ハンガーは、１枚の薄板から切り出すので製作が簡単であり、省資源・コストダウンの観点からも推奨される。
【図面の簡単な説明】
【０００７】
【図１】本考案に係る携帯用ハンガーの第１実施例の平面図
【図２】本考案に係る携帯用ハンガーの第２実施例の平面図
【図３】本考案に係る携帯用ハンガーの第３実施例の平面図
【図４】本考案にかかる携帯用ハンガーの使用状態の説明図
【図５】同上
【図６】本考案にかかる携帯用ハンガーに衣類を掛けた状態を示し、図４におけるＩＶ−ＩＶ断面で示す。
【考案を実施するための形態】
【０００８】
図１は本考案の第１実施例を示す。細長状の中腕部３と細長状の下腕部４が互いに間隔をへだてて平行状に並び、細長状の中腕部３の上方に細長状の上腕部２を形成し、短い縦杆７を介して細長状の把持部６を形成して成る。
【０００９】
図２は本考案の第２実施例を示す。細長状の中腕部３と細長状の下腕部４が互いに間隔をへだてて平行状に並び、細長状の中腕部３の上方に細長状の上腕部２を形成し、短い縦杆８を介して細長状の把持部６を形成して成る。
【００１０】
図３は本考案の第３実施例を示す。細長状の中腕部３と細長状の下腕部４が互いに間隔をへだてて平行状に並び、細長状の中腕部３の上方に把持穴９を設けた把持部６を形成して成る。
【００１１】
衣類の掛け方は随意である。一例を示すと図４、図５、図６に示すとおりである。背広Ｃを垂直に吊るした状態で、右側の前身ごろＣＲを２つに折り畳み、左側の前身ごろＣＬも２つに折り畳む。この状態でハンガー１を水平の姿勢で背広の中に差し込むと、右側の前身ごろＣＲはハンガー１の上腕部２と中腕部３の間隙に進入し、左側の前身ごろＣＬは上腕部３と下腕部４の間隙に進入する。この状態でハンガー１の把持部６を持ち上げると、右側の前身ごろＣＲは上腕部３の上縁に保持され、左側の前身ごろＣＬは下腕部４の上縁に保持されるので、背広はハンガーにしっかりと保持される。図６に描かれているＳＲは右そでを、ＳＬは左そでを示す。図５はハンガーを持った状態の正面図、図４はその側面図、図６は図４のＩＶ−ＩＶ断面の部分的拡大図である。
【００１２】
薄肉の板の材質は樹脂、木材、金属のいずれかを選択し、その表面の一部もしくは全体を皮で被覆することにより、指が滑ったりあるいは衣類がずれ落ちるのを防止することができる。薄肉の板の厚さは５ｍｍ以下が望ましい。板の厚さが５ｍｍ以下であれば軽量であり、しかも必要な強度が保たれる。
【００１３】
世に流通しているかばんは、Ａ４版の大きさすなわち横方向の寸法Ｌが２９７ｍｍ、縦方向の寸法Ｈが２１０ｍｍである矩形の範囲内に納まる大きさのものが多いことに鑑み、本考案に係る携帯用ハンガーの大きさをＡ４版の範囲内に納まる大きさにすると、省資源の観点からも、使い勝手の向上の観点からも推奨される。
【符号の説明】
【００１４】
１    携帯用ハンガー
２    上腕部
３    中腕部
４    下腕部
５    連結杆
６    把持部
７    縦杆
８    縦杆
９    把持穴
Ｃ    背広
ＣＲ  前身ごろ（右）
ＣＬ  前身ごろ（左）
ＳＲ  右そで
ＳＬ  左そで
【図１】
0003157474.tif 000003
【図２】
0003157474.tif 000004
【図３】
0003157474.tif 000005
【図４】
0003157474.tif 000006
【図５】
0003157474.tif 000007
【図６】
0003157474.tif 000008
(57)【要約】【課題】  両面にサイン等を行うことができると共に、文字、文章や絵が書きやすく、見栄えが良い色紙を提供する。【解決手段】  両面が使用可能であって、一方面は文字を書く際に目安となる目印が印刷されると共に、他方面は白紙に形成されている。【選択図】  図２
0003157416.tif 000002
【実用新案登録請求の範囲】
【請求項１】
両面が使用可能であって、一方面は文字等を書く際に目安となる目印が印刷されると共に、他方面は白紙に形成されていることを特徴とする色紙。
【請求項２】
上記目印は、互いに一定間隔を置いて配置された多数の点であることを特徴とする請求項１記載の色紙。
【考案の詳細な説明】
【技術分野】
【０００１】
本考案は色紙に係り、特に、両面が使用できる色紙に関する。
【背景技術】
【０００２】
従来、色紙は、一面のみが使用することができたことから、その一面にのみサインをしたり寄せ書きをしたりしていた。しかしながら、両面が使える色紙があれば便利である。
【０００３】
また、従来より、文字等を書きやすくするために、破線等により構成されたタテヨコの罫を印刷した色紙はあったが、罫が見えることによって色紙としての見栄えが良くない、という不具合が存していた（特許文献１）。
【特許文献１】特開２００２−１３７５７６号
【考案の開示】
【考案が解決しようとする課題】
【０００４】
そこで、本考案の課題は、両面にサイン等を行うことができると共に、文字、文章や絵が書きやすく、見栄えが良く外観品質を向上させることができる色紙を提供することにある。
【課題を解決するための手段】
【０００５】
上記課題を解決するために、請求項１の考案にあっては、両面が使用可能であって、一方面は文字等を書く際に目安となる目印が印刷されると共に、他方面は白紙に形成されていることを特徴とする。
従って、請求項１記載の考案にあっては、一方面においては、上記目印に従って文字や絵を書くことができる。
【０００６】
請求項２記載の考案にあっては、上記目印は、互いに一定間隔を置いて配置された多数の点であることを特徴とする。
従って、文字や絵を書く場合には、上記多数の点を基準として書くことができる。
【考案の効果】
【０００７】
請求項１記載の考案にあっては、両面が使用可能であって、一方面は文字を書く際に目安となる目印が印刷されると共に、他方面は白紙に形成されていることから、両面にサイン等を行うことができ、色紙を使う事情や相手等に応じて、白紙の面と目印が印刷されている面とを使い分けて使用することができるため非常に便利である。
白紙の面を使用した場合には、従来同様、やや公式な色彩のある色紙として使用することができる。また、目印が印刷されている面を使用した場合には、文字が書きやすく、見栄えが良い色紙として使用することができる。
【０００８】
また、請求項２記載の考案にあっては、請求項１記載の考案に効果に加えて、一方面には上記多数の点が配置されていることから、例えば、タテヨコ方向に多数の罫が引かれている場合に比して、紙面がスッキリとしており、色紙としての良好な外観品質を確保することができる。
【図面の簡単な説明】
【０００９】
【図１】本考案の一実施の形態に係る色紙の表面を示す平面図である。
【図２】本考案の一実施の形態に係る色紙の裏面を示す平面図である。
【考案を実施するための最良の形態】
【００１０】
以下、添付図面に示す実施の形態に基づき本考案に係る色紙を詳細に説明する。
本実施の形態に係る色紙１０は、両面が使用可能であって、一方面を形成する表面１１は文字を記載する際に目安となる目印としての多数の点１２が印刷されると共に、他方面を形成する裏面１３は白紙に形成されている。上記多数の点１２は、互いに一定間隔を置いて配置されている。
【００１１】
本実施の形態にあっては、上記多数の点１２は、タテヨコ方向に、一定間隔を置いて碁盤の目状に配置されて印刷されている。
従って、本実施の形態に係る色紙１０を使用する場合には、白紙により形成された表面１１に自由に文字や絵を書くことができる。
【００１２】
また、多数の点１２が印刷された表面１１に文字や絵を描く場合には、上記多数の点１２を基準として書くことができる。従って、タテヨコ方向に碁盤の目状に多数の点１２が印刷されていることから、文字や、文章を書く場合や、絵を描く場合に、タテ方向、ヨコ方向の基準が明確になることから、タテ方向、ヨコ方向にズレることなく書くことができる。
【００１３】
同時に、タテヨコの罫が印刷されている場合に比して、紙面がスッキリとしており、色紙としての良好な外観品質を確保することができる。
また、従来から使用されている白紙の色紙として使用したい場合には、裏面１３を利用して文字や絵をかくことができ、色紙を使用する際の具体的な事情、用途に応じて使い分けることができる。
【産業上の利用可能性】
【００１４】
本考案は、広く色紙に適用することができる。
【符号の説明】
【００１５】
１０  色紙
１１  表面
１２  多数の点
１３  裏面
【図１】
0003157416.tif 000003
【図２】
0003157416.tif 000004
(57)【要約】【課題】  収納袋内のスペースを有効に使い、なおかつ収納袋内におけるカメラレンズの安定性を高める。【解決手段】カメラレンズ保護装置に関する。円筒状をなすナット部材（１）の内径と、同ナット部材（１）の端部に取り付けられるカメラレンズ（４）のナット部材側端部のネジ切りがなされた連接部との外径とを等しく形成し、ナット部材（１）の内周面には雌ネジ（２）を刻設するとともに係止部（３）を突設し、ナット部材（１）の雌ネジ（２）とカメラレンズ（４）端部の雄ネジ（５）とが互いに螺合する。ナット部材（１）の大きさは各メーカーのカメラレンズ（４）のサイズに合わせて形成できるため、メーカーを問わず対応することが可能である。ナット部材（１）の両端にそれぞれカメラレンズ（４）を取り付けることにより、同時に２つのカメラレンズ（４）をナット部材（１）に連結することが可能である。【選択図】  図２
0003157431.tif 000002
【実用新案登録請求の範囲】
【請求項１】
円筒状をなすナット部材（１）の内径と、同ナット部材（１）の端部に取り付けられるカメラレンズ（４）のナット部材側端部のネジ切りがなされた連接部との外径とを等しく形成し、ナット部材（１）の内周面には雌ネジ（２）を刻設するとともに係止部（３）を突設し、ナット部材（１）の雌ネジ（２）とカメラレンズ（４）端部の雄ネジ（５）とが互いに螺合するカメラレンズ保護装置。
【請求項２】
前記ナット部材（１）の両端にそれぞれカメラレンズ（４）を取り付けることにより、同時に２つのカメラレンズ（４）をナット部材（１）に連結することが可能な請求項１に記載のカメラレンズ保護装置。
【考案の詳細な説明】
【技術分野】
【０００１】
本考案はカメラまたは撮影一般の機器に関し、写真機やその他撮影用のレンズの損傷防止や収納ケース内においてレンズの固定に有用な保護装置に関する。
【背景技術】
【０００２】
良好な写真や映像の撮影のために、レンズの精密性は極めて重要である。レンズの性能は撮影の目的よって異なり、カメラマンが携行するレンズの種類も増加している。多くのカメラマンが２本以上のレンズを携行し、好みの風景や人物等の被写体の良好な撮影に腐心している。デジタルカメラや一眼レフカメラにおいては使用するレンズの精度が大きく影響する。そのため、レンズを損傷の原因になる埃や油脂や指紋から保護することは重要である。
【０００３】
現在、市場入手可能なレンズ収納袋は、２本分の収納スペースを有する。しかし、他のアクセサリーも収納することも多いため、十分なスペースを確保することが難しい。
【考案の概要】
【考案が解決しようとする課題】
【０００４】
本考案の目的はスペースを有効に使い、なおかつ収納袋内におけるレンズの安定性を高めるレンズ保護装置を提供することにある、さらに、本発明の目的は収納効率が高いレンズ保護装置を提供することにある。
【課題を解決するための手段】
【０００５】
上記目的を達成するために、本考案は円筒状をなすナット部材の内径と、同ナット部材の両端部に取り付けられる一対のカメラレンズにおいてそれぞれのナット部材側端部のネジ切りがなされた連接部との外径とを等しく形成し、ナット部材の内周面には雌ネジを刻設するとともに係合部を突設し、ナット部材の雌ネジとレンズ端部の雄ネジとが互いに螺合するものである。
【考案の効果】
【０００６】
本考案によれば、２本のレンズを１本のナット部材に連結することにより収納スペースを有効に利用し、より多くのレンズの収納が可能になる。
【図面の簡単な説明】
【０００７】
【図１】本考案に係るカメラレンズ保護装置において、ナット部材を示す斜視図。
【図２】本考案に係るカメラレンズ保護装置の分解斜視図。
【図３】本考案に係るカメラレンズ保護装置の側面図。
【考案を実施するための形態】
【０００８】
以下、本考案の一実施の形態を図１乃至３に従って説明する。図１は本考案のカメラレンズ保護装置のナット部材１を示す。ナット部材１は円筒状をなす。図２に示すように、同ナット部材の両端部に取り付けられる一対のカメラレンズにおいてそれぞれのナット部材側端部のネジ切りがなされた連接部との外径とを等しく形成し、ナット部材の内周面には雌ネジを刻設するとともに係合部を突設し、ナット部材の雌ネジとレンズ端部の雄ネジとが互いに螺合する。
【０００９】
図２は本考案に係るカメラレンズ保護装置の使用状態を示す。ナット部材１の雌ネジ２はカメラレンズ４の雄ネジ５に螺着され、さらにナット部材１はカメラレンズ４に向かっ
て螺進されて、レンズに対して緊密に接触する。このようにして、カメラレンズ４はナット１上に堅固に保持され、容易に離脱することはない。
【００１０】
図３はナット部材１の他端に別のカメラレンズ４を同様に堅固に取り付け、２つのカメラレンズ４をナット部材１に連結することにより、カメラレンズ４が占める収納袋のスペースの減少させる方法を示す。
【００１１】
本考案におけるカメラレンズ保護装置ではナット部材１を形成するに当たり、円筒形のプラスチック素材の内周面にネジを刻設し、レンズ外側のネジ螺合させることにより、レンズ４をナット部材１に対して堅固に固定すること可能となる。
【００１２】
さらに、ナット部材１の大きさは各メーカーのカメラレンズ４のサイズに合わせて形成できるため、メーカーを問わず対応することが可能である。
【符号の説明】
【００１３】
１…ナット部材、２…雌ネジ、３…係止部、４…カメラレンズ、５…雄ネジ。
【図１】
0003157431.tif 000003
【図２】
0003157431.tif 000004
【図３】
0003157431.tif 000005
(57)【要約】【課題】  ワイパーを安定して収納することができるようにすると共に、内部を簡単且つ確実に洗うことができるようにすることにある。【解決手段】  略台形形状の背面板３と、背面板３の一方側に第一の折り曲げ線４を介して連設され、下端部中央にスリット状の第一の係止孔５を設けた略扇形状の周壁板６と、背面板３の下端に第二の折り曲げ線７を介して連設される略半円形状の底板８とから構成され、底板８の先端に設けられた第一の係止舌片９を第一の係止孔５に挿入係止すると共に、背面板３の他方側に設けられた第二の係止舌片１０を周壁板６の他方側端部に設けられたスリット状の第二の係止孔１１に挿入係止することを特徴とする。【選択図】        図１
0003157448.tif 000002
【実用新案登録請求の範囲】
【請求項１】
略台形形状の背面板（３）と、該背面板（３）の一方側に第一の折り曲げ線（４）を介して連設され、下端部中央にスリット状の第一の係止孔（５）を設けた略扇形状の周壁板（６）と、前記背面板（３）の下端に第二の折り曲げ線（７）を介して連設される略半円形状の底板（８）とから構成され、該底板（８）の先端に設けられた第一の係止舌片（９）を前記第一の係止孔（５）に挿入係止すると共に、前記背面板（３）の他方側に設けられた第二の係止舌片（１０）を前記周壁板（６）の他方側端部に設けられたスリット状の第二の係止孔（１１）に挿入係止することを特徴とするワイパー収納用容器。
【考案の詳細な説明】
【技術分野】
【０００１】
本考案は、ハンディタイプのモップやブラシ等のワイパーを収納するための容器に関するものである。
【背景技術】
【０００２】
床や家具の埃を拭い払う用具としてハンディタイプのモップやブラシ等のワイパーが使用されているが、清掃のたびに毛先等の塵埃を洗浄するのは手間がかかり、従ってある程度の汚れが付着するまではこのワイパーを所定の容器に収納していた。
【０００３】
そして、ワイパーの汚れが室内に再度付着してしまうことがないように、このワイパーを収納するための容器として、以下の如き意匠の提案がなされている。
【先行技術文献】
【特許文献】
【０００４】
【特許文献１】意匠登録第１３６３２８６号公報
【考案の概要】
【考案が解決しようとする課題】
【０００５】
この意匠は、下方がややすぼまった有底略円筒形状で、上端開口部が斜めに削設されているが、すぼまっているが故に床面に設置した際の立脚の安定性に欠け、またモップに付着した埃が内部に溜まった場合の洗浄が困難である等の欠点がある。
【０００６】
よって本考案は、上述した従来技術の欠点、不都合、不満を解消するべく開発されたワイパー収納用容器であって、ワイパーを安定して収納することができるようにすると共に、内部を簡単且つ確実に洗うことができるようにすることを目的とする。
【課題を解決するための手段】
【０００７】
上記課題を解決するため、本考案のワイパー収納用容器は、略台形形状の背面板と、この背面板の一方側に第一の折り曲げ線を介して連設され、下端部中央にスリット状の第一の係止孔を設けた略扇形状の周壁板と、前記した背面板の下端に第二の折り曲げ線を介して連設される略半円形状の底板とから構成され、この底板の先端に設けられた第一の係止舌片を前記した第一の係止孔に挿入係止すると共に、前記した背面板の他方側に設けられた第二の係止舌片を前記した周壁板の他方側端部に設けられたスリット状の第二の係止孔に挿入係止することを特徴とする。
【考案の効果】
【０００８】
上記した本考案にあって、背面板と周壁板と底板とは一枚のシートで構成され、第一の係止舌片と第一の係止孔、及び第二の係止舌片と第二の係止孔との夫々の挿入係止により組み立てられて構成されているので、組み立て及び分解が極めて容易であり、容器としての使用によって内部に埃が溜る等の汚れが生じたならば、平面的に分解して簡単に清浄することができる。
【０００９】
また、背面板は台形、周壁板は扇形状になっていて下方に拡がる形状になっているので、床に設置した状態で安定し、ワイパーの柄が多少長くてもバランスよく確実に保持することができる。
【００１０】
そして、前述したように平面的に分解できるので、組み立て状態で下方に拡がる形状であっても、内部を確実に洗うことができて衛生的である等、本考案は多くの優れた作用効果を奏する。
【図面の簡単な説明】
【００１１】
【図１】ワイパー収納用容器の一例を示す展開図である。
【図２】組み立て状態の斜視図である。
【図３】側面図である。
【考案を実施するための形態】
【００１２】
本考案のワイパー収納用容器１は、肉薄のプラスチックシート２を一体的に組み立てるもので、プラスチックシート２は、略台形形状の背面板３と、この背面板３の一方側に第一の折り曲げ線４を介して連設され、下端部中央にスリット状の第一の係止孔５を設けた略扇形状の周壁板６と、背面板３の下端に第二の折り曲げ線７を介して連設される略半円形状の底板８とから構成される。
【００１３】
そして、第一の折り曲げ線４と第二の折り曲げ線７とを夫々折り曲げ、周壁板６を丸めた状態で底板８の先端に設けられた第一の係止舌片９を周壁板６の第一の係止孔５に挿入係止すると共に、背面板３の他方側に設けられた第二の係止舌片１０を周壁板６の他方側端部に設けられたスリット状の第二の係止孔１１に挿入係止し、ワイパー収納用容器１として組み立てるのである。
【実施例】
【００１４】
略台形形状の背面板３は、上端部が半円形になっており、中央部には引っ掛け孔１２が開設されてあり、例えば壁面に吸着させた吸盤に引っ掛けて（図示省略）容器１の立脚姿勢を更に安定させたり、或いは壁から吊り下げることができるようになっている。
【００１５】
背面板３の他方側に設けられる第二の係止舌片１０は半円形で、図示実施例では三片である。
【００１６】
これに対して周壁板６の他方側には、第三の折り曲げ線１３を介して織り込片１４が連設されており、この第三の折り曲げ線１３上に前記した第二の係止舌片１０が夫々挿入係止する三個のスリット状の第二の係止孔１１が開設されることになる。
【００１７】
略扇形状の周壁板６は、下端円弧線の半径を大きく、上端円弧線の半径を小さくとっており、ワイパー収納用容器１として組み立てた際の開口縁１５を形成するこの上端円弧線は前端に向かって斜めに大きく開口し、ワイパーＷが挿入し易くなるようにしている。尚、周壁板６の上部中央に目と口を模した孔１６を開設し、面白みを付加している。
【符号の説明】
【００１８】
１  ワイパー収納用容器
２  プラスチックシート
３  背面板
４  第一の折り曲げ線
５  第一の係止孔
６  周壁板
７  第二の折り曲げ線
８  底板
９  第一の係止舌片
１０  第二の係止舌片
１１  第二の係止孔
１２  引っ掛け孔
１３  第三の折り曲げ線
１４  織り込片
１５  開口縁
１６  目と口を模した孔
Ｗ  ワイパー
【図１】
0003157448.tif 000003
【図２】
0003157448.tif 000004
【図３】
0003157448.tif 000005
(57)【要約】      （修正有）【課題】暑い時や、ちょっとお洒落感を出したい時に、自由に好きな位置で裾を捲くったり、たくし上げたりした状態を保って着られるタック・アップ・パンツを提供する。【解決手段】裾口が脹脛を通る状態で、裾をたくしあげて好きな位置で固定するために、下衣の裾口と脹脛間の裏地部分に、ゴムをリング状に取り付けてテンションを作ることによって、脹脛から上のどこでも留める事ができ、外観に自然なたくし上げのシワ感を出した状態で好きな位置を保つことができる機能と利便性を生み出すことができる。【選択図】図１
0003157449.tif 000002
【実用新案登録請求の範囲】
【請求項１】
両裾の裏地部分に表地にひびかない様にリング状にゴムを縫い付ける事によって、そのテンションで自由な場所で、裾をたくしあげることができる下衣。
【考案の詳細な説明】
【技術分野】
【０００１】
本考案は、レングスを自由に変えることができる下衣に関するものである。
【背景技術】
【０００２】
従来の下衣は、半ズボンにするとか、７分ズボンにするとか、最初からレングスが決まっていて固定された状態で自由に長さ調整ができないか、いわゆる裾ゴムシャーリングのように外観から判るゴムやベルトで留める事でしかレングスが変えられない。
【先行技術文献】
【特許文献】
【０００３】
【特許文献１】実用新案登録第３１４０３５８号公報
【考案の概要】
【考案が解決しようとする課題】
【０００４】
一番レングスが長い状態では、外観上は一般的な下衣に見え、レングスを変える際、裾を折り曲げたり、別紐や別のベルトで留めたりしなくても、そのままたくし上げた時に、簡単に好きな長さにレングスを変えられてその位置で固定する事が出来ることを目的とする。
【課題を解決するための手段】
【０００５】
本考案は、表地にはひびかない様に、下衣の裏地部分にリング状にゴムを縫い付けてテンションをつける事によって、裾をたくし上げた時に、ゴムのテンションで好きな足の位置で裾口がとまるように課題を解決している。
【考案の効果】
【０００６】
表から見る外観の形状は、通常の外観と全く変わり無く、裾口を折り曲げたりしなくても、自由に裾をたくし上げた位置で固定でき、自然な感覚で着用する事が可能になる。
【考案を実施するための最良の形態】
【０００７】
裾口が脹脛を通る状態で、裾をたくしあげて好きな位置で固定するために、下衣の裾口と脹脛間の裏地部分に、ゴムをリング状に取り付けてテンションを作ることによって、脹脛から上のどこでも留める事ができ、外観に自然なたくし上げのシワ感を出した状態で好きな位置を保つことができる機能と利便性を生み出すことができる。
【実施例】
【０００８】
以下、添付図面に従って実施例を説明する。図１のように、好きな位置でたくし上げられるように、裾口を脹脛の太さ以上に取るか、裾口をファスナー等で広げられようにする必要がある。
【０００９】
図２の裾裏図のように、裾口からその上の所までを裾を捲くったときに表から見えても良いようにシャツ地などのきれいな生地で裾裏を切り替えるか、総裏地仕様にして、裾裏生地の裾口から１０cm〜２０cmの脹脛にできるだけ触れない部分にリング状にゴムを付けて、さらに裏地や切り替部分が裾下から出てこないように表地と裏地または切り替生地の中綴じをする。
【図面の簡単な説明】
【００１０】
【図１】片裾をたくし上げた状態図
【図２】タック・アップ・パンツの裾表裏図である。
【図１】
0003157449.tif 000003
【図２】
0003157449.tif 000004
(57)【要約】      （修正有）【課題】積み立てが安定して行われる積み立てラックを提供する。【解決手段】平面形態が方形で、下部にフォークリフトのフォークが差し入れられる差し入れ部３を備え、その四隅に柱体７が立設され、それら柱体７の上端それぞれが枠材９それぞれにより互いに連結されて構成される積み立てラックにおいて、枠材９それぞれに、当該積み立てラック上部に積まれる他の同形状の積み立てラックの底面縁部を支持する水平支持縁１２が備えられてなることを特徴とする。【選択図】図１
0003157402.tif 000002
【実用新案登録請求の範囲】
【請求項１】
平面形態が方形で、下部にフォークリフトのフォークが差し入れられる差し入れ部を備え、その四隅に柱体が立設され、それら柱体の上端それぞれが枠材それぞれにより互いに連結されて構成される積み立てラックにおいて、
前記枠材それぞれに、当該積み立てラック上部に積まれる他の同形状の積み立てラックの底面縁部を支持する水平支持縁が備えられてなることを特徴とする積み立てラック。
【請求項２】
前記枠材の断面が折れ曲がり構造である請求項１記載の積み立てラック。
【請求項３】
前記水平支持縁と前記柱体それぞれの上端に取り付けられる支持板とにより当該積み立てラック上部に積まれる他の同形状の積み立てラックを支持する請求項１または２記載の積み立てラック。
【考案の詳細な説明】
【技術分野】
【０００１】  この考案は、倉庫等において物品収納に用いられる積み立てラックに関する。
【背景技術】
【０００２】  倉庫等においては物品収納のために積み立てラックが使用される。この積み立てラックはフォークリフトによる移動が可能であるとともに、収納効率を高めるため２段、３段に積み立てられる状態で使用される。
【考案の概要】
【考案が解決しようとする課題】
【０００３】  現状の積み立てラックにおいては、下段のラックの４隅の柱体の上端に上段のラックの４隅の柱体の下端が支持されるようにして積み立てが行われており、安定性に乏しい面がある。さらには、フォークリフトによる積み立てが正しい位置に行われなかった場合、下段のラックの柱体の上端それぞれを連結する枠材上に上段のラックの底部が載る状態となり、枠材が曲がってしまい、ラックの全体が歪んでしまうような問題が発生した。【０００４】  この考案は上記の点に鑑みて行ったもので、積み立てが安定して行われる積み立てラックを提供することを目的とする。
【課題を解決するための手段】
【０００５】  この考案では、平面形態が方形で、下部にフォークリフトのフォークが差し入れられる差し入れ部を備え、その四隅に柱体が立設され、それら柱体の上端それぞれが枠材それぞれにより互いに連結されて構成される積み立てラックにおいて、前記枠材それぞれに、当該積み立てラック上部に積まれる他の同形状の積み立てラックの底面縁部を支持する水平支持縁が備えられてなることを特徴とする積み立てラック提供する。【０００６】  上記構成によれば、積み立てラックを積み立てる際、下部の積み立てラックの枠材の水平支持縁上に上部の積み立てラックの底面縁部が支持され、従来の柱部分にくわえてその間の部分で連続して支持されることでその積み立て構造が安定したものとなる。とくに、枠材の断面が折れ曲がり構造とされることで、正しく積み立てが行われず下部の積み立てラックの枠材上に上部の積み立てラックの底面が載った場合にも、枠材が強度を持つことで変形することがなく、積み立てラックが歪むことも回避される。
【考案の効果】
【０００７】  この考案によれば、積み立てが安定して行われて損傷や歪みの発生しない積み立てラックが得られる。
【図面の簡単な説明】
【０００８】
【図１】  この考案の積み立てラックの実施形態の外観斜視図
【図２】  この考案の積み立てラックの実施形態の組み立て説明図
【図３】  この考案の積み立てラックの実施形態の積み立て状態の断面図
【考案を実施するための形態】
【０００９】  図１はこの考案の積み立てラックの外観斜視図である。積み立てラック１は平面形態が方形で、下部にフォークリフトのフォークが差し入れられる差し入れ部３を備える木製パレット５を備え、四隅には鉄製で断面Ｌ型の柱体７のそれぞれが立設され、それら柱体７の上端それぞれが鉄製の枠材９それぞれにより互いに連結されて構成されている。
【００１０】  柱体７それぞれの上端には鉄製で方形の支持板６のそれぞれが溶接固定され、また、柱体７それぞれの上部外側には、一対の差し込み部８を備える取り付け固定片１０が溶接固定されている。枠材９は縦縁１１とその上部から水平に突出する水平支持縁１２とよりなり、水平支持縁１２は枠材９の両端位置において切り欠かれている。縦縁１１には補強用の折り曲げ加工がなされ、また、その両端には取り付け片１３それぞれが下方に突出して一体に形成されている。
【００１１】  枠材９の柱体７への取り付けは、図２に示すように、両端の取り付け片１３それぞれが隣接する柱体７の取り付け固定片１０の差し込み部８それぞれに上方から差し込まれることにより行われる。
【００１２】  図３は積み立てラック１上に同形状の積み立てラック１を荷物３０が木製パレット５上に納められた状態において積み立てた際の断面構成を示す。この状態においては、下部の積み立てラック１の柱体７それぞれの支持板６上に上部の積み立てラック１の柱体７それぞれの下端に溶接固定された鉄製の方形板１５が載るとともに、下部の積み立てラック１の枠材９の水平支持縁１２上に、荷物が載ることで若干たわみ下方に湾曲した上部の積み立てラック１の木製パレット５の底面縁部１６が載り、下部の積み立てラック１上に上部の積み立てラック１が支持される状態で積み立てられている。支持板６と方形板１５とは凸部４０が位置決め穴４１に嵌ることで互いに位置決めされている。
【００１３】  このようにして、下部の積み立てラック１上に上部の積み立てラック１が４隅部及びその間の部分で連続して支持されることで、その積み立て構造が安定したものとなる。また、仮にフォークリフトにより下部の積み立てラック１上に上部の積み立てラック１が正しい位置において積み立てられず、下部の積み立てラック１の枠材９上に上部の積み立てラック１の木製パレット５の底面が載った場合にも、枠材９が縦縁１１と水平支持縁１２とからなる断面が折れ曲がり構造で、さらに、縦縁１１に補強用の折り曲げ加工がなされていることで十分な強度を持つので、枠材９が変形することがなく積み立てラック１が歪むことも回避される。
【符号の説明】
【００１４】１    積み立てラック
３    差し入れ部
７    柱体
９    枠材
１２  水平支持縁
１６  底面縁部
【図１】
0003157402.tif 000003
【図２】
0003157402.tif 000004
【図３】
0003157402.tif 000005
(57)【要約】      （修正有）【課題】家具調仏壇の前面側下方に設けた収納部に納める納骨用引き出しを提供する。【解決手段】本陣下方に本陣とは別に収納部を設けた家具調仏壇において、該収納部に複数の区画を設けた桐材製の納骨用引き出しを挿脱自在に収納すると共に、各区画に総桐材製の蓋付き納骨箱を収納した。桐材製の引き出し内に総桐材製の蓋付き納骨箱を収納しているため密封性に優れ、且つ湿気る事がなく、収納部の扉を開けても引き出しに収納した納骨箱が望見されない。引き出しは簡単に出し入れでき、年忌の時などに、そのまま御供養できる。将来、墓地などを購入の際は、総桐材製のものはそのまま埋葬できる。【選択図】図５
0003157403.tif 000002
【実用新案登録請求の範囲】
【請求項１】
本陣下方に本陣とは別に収納部を設けた家具調仏壇において、該収納部に複数の区画を設けた桐材製の納骨用引き出しを挿脱自在に収納すると共に、各区画に総桐材製の蓋付き納骨箱を収納することを特徴とする家具調仏壇。
【請求項２】
蓋付き納骨箱の蓋に御戒名を書した家具調仏壇。
【考案の詳細な説明】
【技術分野】
【０００１】
本考案は家具調仏壇の前面側下方に設けた収納部に納める納骨用引き出しに関し、引き出しを数区画に分割すると共に各区画に蓋付きの納骨箱を出し入れ自在に収納するものである。
【背景技術】
【０００２】
新仏壇と称して扉を設けた、ご本尊等を祭祈する本陣と、本陣の前面側下方に本陣の扉とは別に開閉できる扉を取り付けた経机等の仏具を収納するための収納空間を設けた家具調仏壇が数多く見られ、室内の他の家具に調和するため好評である。
仏壇本体の前面側に設けられた椅子収納部を引き出すと、椅子が使用状態で引き出され、押し戻すと仏壇の前面側へ突出しないようにした発明(特許文献１)がある。
【０００３】
又、納骨箱の大きさを小さくしユニット化した多重引き出し式納骨箱とし、それらの各納骨箱を納骨区画に収納し、収納区画に防湿剤、芳香剤、防虫剤を入れた発明(特許文献２)がある。
【先行技術文献】
【特許文献】
【０００４】
【特許文献１】特開２００１−１７８６１８号公報
【特許文献２】特開２００１−１５２６９８号公報
【考案の概要】
【考案が解決しようとする課題】
【０００５】
特開２００１−１７８６１８号公報に係る発明は引き出した椅子に座して読経できるものであるが、椅子の収納空間に納骨するものではない。
【０００６】
又、特開２００１−１５２６９８号公報に係る発明はユニット化した多重引き出し式納骨箱を、それぞれ納骨区画内に収納したものであり、収納区画に防湿剤等を別途入れて防湿効果等を図っており、仏壇とは別体のものであり仏壇内にコンパクトに収納するものではない。
【課題を解決するための手段】
【０００７】
本陣下方に本陣とは別に収納部を設けた家具調仏壇において、該収納部に複数の区画を設けた桐材製の納骨用引き出しを挿脱自在に収納すると共に、各区画に総桐材製の蓋付き納骨箱を収納することを特徴とする家具調仏壇。
【０００８】
蓋付き納骨箱の蓋に御戒名を書した家具調仏壇。
【考案の効果】
【０００９】
桐材製の引き出し内に総桐材製の蓋付き納骨箱を収納しているため密封性に優れ、且つ湿気る事がなく、収納部の扉を開けても引き出しに収納いた納骨箱が望見されない。引き出しは簡単に出し入れでき、年忌の時などに、そのまま御供養できる。将来、墓地などを購入の際は、総桐材製のものはそのまま埋葬できる。
【図面の簡単な説明】
【００１０】
【図１】本考案に係る家具調仏壇の総開扉状態を示す外観斜視図。
【図２】本陣の下方に本陣とは別に設けている扉付き収納部に、本考案に係る納骨用引き出しを挿入する状態を示す斜視図。
【図３】本考案に係る家具調仏壇の総閉扉状態を示す外観斜視図。
【図４】本考案に係る納骨用引き出しを示す拡大斜視図。
【図５】納骨用引き出しに設けている各区画に蓋付き納骨箱を収納した状態を示す斜視図。
【図６】納骨用引き出しの正面図。
【図７】同、平面図。
【図８】同、右側面図。
【図９】同、底面図。
【図１０】蓋付き納骨箱の正面図。
【図１１】蓋付き納骨箱の蓋を半ば引き出した状態を示す右側面図。
【図１２】納骨箱の蓋を示す正面図。
【図１３】同、左側面図。
【図１４】同、平面図。
【図１５】同、底面図。
【図１６】蓋を取り外した納骨箱を示す斜視図。
【考案を実施するための形態】
【００１１】
請求項１の考案
本陣１の下方に本陣１とは別に収納部２を設けた家具調仏壇３において、該収納部２に複数の区画4aを設けた桐材製の納骨用引き出し４を挿脱自在に収納すると共に、各区画4aに総桐材製の蓋付き納骨箱５を収納することを特徴とする家具調仏壇３である。
【００１２】
請求項２の考案
蓋付き納骨箱５の蓋６に御戒名を書した家具調仏壇３である。
【００１３】
尚、３aは、家具調仏壇３の総閉扉状態を示しており、収納部２に収納した納骨用引き出し４内の各蓋付き納骨箱５は外部から望見されないため室内の他の家具と調和がとれている。又、図２に示すように納骨用引き出し４の前面に引手凹所４b を設けているため出し入れが容易である。
【産業上の利用可能性】
【００１４】
室内の他の家具と調和がとれている和モダンな家具調仏壇であり近時の需要が旺盛である。
【符号の説明】
【００１５】
１  本陣
２  収納部  
３  家具調仏壇  
４  納骨用引き出し  
４a  区画  
５  蓋付き納骨箱  
６  蓋
【図１】
0003157403.tif 000003
【図２】
0003157403.tif 000004
【図３】
0003157403.tif 000005
【図４】
0003157403.tif 000006
【図５】
0003157403.tif 000007
【図６】
0003157403.tif 000008
【図７】
0003157403.tif 000009
【図８】
0003157403.tif 000010
【図９】
0003157403.tif 000011
【図１０】
0003157403.tif 000012
【図１１】
0003157403.tif 000013
【図１２】
0003157403.tif 000014
【図１３】
0003157403.tif 000015
【図１４】
0003157403.tif 000016
【図１５】
0003157403.tif 000017
【図１６】
0003157403.tif 000018
【手続補正書】
【提出日】平成21年11月30日(2009.11.30)
【手続補正１】
【補正対象書類名】実用新案登録請求の範囲
【補正対象項目名】全文
【補正方法】変更
【補正の内容】
【実用新案登録請求の範囲】
【請求項１】
本陣下方に本陣とは別に収納部を設けた家具調仏壇において、該収納部に複数の区画を設けた桐材製の納骨用引き出しを挿脱自在に収納すると共に、各区画に総桐材製の蓋付き納骨箱を収納することを特徴とする家具調仏壇の納骨用引き出し。
【請求項２】
前記納骨箱の蓋に御戒名を書した請求項１記載の家具調仏壇の納骨用引き出し。
(57)【要約】      （修正有）【課題】冬に暖かく過ごせるように、スラックスのポケットに夏冬同じ素材を使用することなく、冬物においては、スラックスのポケット地に遠赤外線加工を施した布地を使用することにしたスラックスを提供する。【解決手段】腰回り及びヒップに密着するスラックス内側のポケット地１０に、遠赤外線加工を施す。ポケット地に遠赤外線加工を施すだけなので着用感は変わらずしかも暖かく快適に過ごせることができる。【選択図】図１
0003157401.tif 000002
【実用新案登録請求の範囲】
【請求項１】
スラックスに遠赤外線加工を施したポケット地を使用して腰回り及びヒップを暖かくした構造
【考案の詳細な説明】
【０００１】この考案は、冬暖かく着用できる腰回りとヒップ回り
【背景技術】
【０００２】スラックス内側のポケット地に遠赤外線加工を施すことにより腰回り及びヒップに密着し暖かさを保ちます。
【考案が解決しようとする課題】
【０００３】スラックスのポケットは夏冬同じ素材が使用されているのが一般的で冬物で暖かく着用できるものが見当たらなかった。
【考案の結果】
【０００４】従来のポケット地に遠赤外線加工を施すだけなので着用感は変わらずしかも暖かく快適に過ごせることができます。
【図面の簡単な説明】
【０００５】
【図１】  考案のスラックス内側
【図２】  従来のスラックス内側
【図３】  考案ポケットの拡大図
【符号の説明】
【０００６】１０  遠赤外線加工を施したポケット地
１１  従来のポケット地
１２  遠赤外線加工
【図１】
0003157401.tif 000003
【図２】
0003157401.tif 000004
【図３】
0003157401.tif 000005